【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
座椅子又は座席の背凭れ等の上縁に引っ掛けるための引掛部と、該引掛部に接続され高さ方向に位置調整可能に支持される脇支持部材とを備え、前記脇支持部材が、身体の両脇を支持して体重を支えるための１対のアームを備えることを特徴とするストレッチング装置。
【請求項２】
前記引掛部に前記脇支持部材を介して座部が連結されていることを特徴とする請求項１に記載のストレッチング装置。
【請求項３】
前記座部は、該座部に大腿部を固定するための第１緊締部材を備えることを特徴とする請求項２に記載のストレッチング装置。
【請求項４】
座部と、使用者の体重を支え得る程度に前記座部に高さ調整可能に支持された脇支持部材と、記座部に設けられて該座部に大腿部を固定するための第１緊締部材と、を有し、該脇支持部材は、身体の両脇を支持することにより使用者の体重を支え得る１対のアームを備えることを特徴とするストレッチング装置。
【手続補正２】
【補正対象書類名】明細書
【補正対象項目名】全文
【補正方法】変更
【補正の内容】
【発明の詳細な説明】
【発明の名称】ストレッチング装置
【技術分野】
【０００１】
本発明は、身体の上半身をストレッチングするためのストレッチング装置に係り、特に脇を支持してストレッチングするためのストレッチング装置に関する。
【背景技術】
【０００２】
従来、ストレッチング装置として、例えば、特開平１０−１５５８４８号公報、実開昭５８−４６３５３号公報、特公平１−３１３９２号公報等に開示のものが知られている。
【発明の開示】
【発明が解決しようとする課題】
【０００３】
しかしながら、従来のストレッチング装置は、椅子に一体となって脇支持アームにより上半身を支持する構成のものが知られているが、斯かる構成では、持ち運びが不便である、既存の椅子を利用することができない、等といった問題があった。
【０００４】
そこで、本発明は、持ち運びに便利なストレッチング装置を提供することを目的とする。また、本発明は、既存の椅子を利用することができるストレッチング装置を提供することを目的とする。
【課題を解決するための手段】
【０００５】
本発明の上記目的は、座椅子又は座席の背凭れの上縁に引っ掛けるための引掛部と、該引掛部に接続され高さ方向に位置調整可能に支持される脇支持部材とを備え、前記脇支持部材が、身体の両脇を支持して体重を支えるための１対のアームを備えることを特徴とするストレッチング装置により達成される。
【０００６】
前記引掛部に前記脇支持部材を介して座部が連結されていることが好ましい。
【０００７】
前記座部は、該座部に大腿部を固定するための第１緊締部材を備えていても良い。
【０００８】
また、本発明の上記目的は、座部と、使用者の体重を支え得る程度に前記座部に高さ調整可能に支持された脇支持部材と、前記座部に設けられて該座部に大腿部を固定するための第１緊締部材と、を有し、該脇支持部材は、身体の両脇を支持することにより使用者の体重を支え得る１対のアームを備えることを特徴とする
【発明の効果】
【０００９】
以上の説明から明らかなように、本発明に係るストレッチング装置によれば、安価にて製造でき、持ち運びにも便利な構成とすることができる。
【００１０】
そのため、誰でもどこでも簡単に、体力に応じて使用できるし、各自の症状に併せて対応することができる。そして、腰部の疲れ、だるさ、痛み等を緩和、仙椎骨、腰椎骨への圧迫感の解消等にも貢献し得ると考えられ、各家庭での簡易な腰痛治療器として使用し得る。
【００１１】
また、座椅子又は座席の背凭れ等の上縁に引っ掛けるための引掛部と、該引掛部に接続され高さ方向に位置調整可能に支持される脇支持部材とを備えることにより、持ち運びにも便利であり、既存の椅子にも適用することができる。
【発明を実施するための最良の形態】
【００１２】
本発明に係るストレッチング装置の第１実施形態について以下に図１，２を参照して説明する。図１は、第１実施形態のストレッチング装置を示す斜視図、図２のそのＥ−Ｅ面断面図である。
【００１３】
本発明に係る第１実施形態のストレッチング装置１ａは、図１，２に示すように、座椅子又は座席の背凭れ等の上縁に引っ掛けるための引掛部２０と、引掛部２０に接続され前記背凭れ等の高さ方向に多段階位置調整可能に支持された脇支持部材１０とを備えている。使用者は、座椅子又は座席に腰掛け、脇支持部材１０の位置を調整して、体重が脇支持部材１０にかかるように（即ち、臀部が座部４から少し浮く程度に）座椅子又は座席の座部と脇支持部材１０との距離を調節する。
【００１４】
図示の例では、引掛部２０を厚さ３〜５ｍｍのステンレス板を略コの字型に曲げて形成し、引掛部２０の一片を延設してその外側面に鍵穴状の係止穴２１ａを高さ方向に複数個形成した係止板２１を両サイドに設けるとともに、一対のアーム１０ａの各々の端部に係止穴２１ａに係止し得る係止ピン１０ｐを設けて、係止ピン１０ｐを係止穴２１ａに係止することにより、一対のアーム１０ａを高さ方向に位置調節可能に支持している。アーム１０ａの裏側には、荷重支持のための斜材１０ｓがアーム１０ａに一体的に固定されている。なお、アーム１０ａを高さ方向に位置調整可能に支持する機構は、種々の公知の機構を採用することができる。
【００１５】
斯かる構成を有する第１実施形態のストレッチング装置は、持ち運びに便利で、既存の椅子に引っ掛けて使用することができる。例えば、このストレッチング装置１ａを旅客機に収納しておき、客席に使用すれば、腰痛や肩こりに効果がある他、長時間座っていることにより生じる血栓を防止し、近年問題となっている所謂エコノミー症候群を予防する効果も発揮し得る。
【００１６】
図３は、本発明に係る第２実施形態のストレッチング装置を示す。第２実施形態のストレッチング装置１ｃは、第１実施形態の変更態様であり、座部４が連結されている。座部４は、引掛部２０と別部材とし、面ファスナー、ボルト穴とボルトとの組合せ等の公知の方法によって、引掛部２０に対して高さ調整可能とすることができる。脇支持部材１０のアーム１０ａが取り付けられている板材３４を介して、引掛部２０の一端を延設した背板部２０ａに形成した複数個のボルト穴（図示せず）にボルト３５を螺入することにより、アーム１０ａを引掛部２０に対して多段階高さ位置調節可能に支持しており、座部４も同様の構成により、引掛部２０に対して高さ位置調整可能に支持されている。斯かるストレッチング装置１ｃは、背凭れのない椅子、腰掛け等にも、接着剤、ベルト締め付け、釘打ち付け、ねじ釘留め、ボルト留め等によって固定して使用することができる。
【００１７】
図４は、本発明に係る第３実施形態のストレッチング装置を示す。第３ストレッチング装置は、第２実施形態の変更態様であり、第２実施形態のストレッチング装置の座部４に、着座状態において大腿部を固定するための第１緊締部材１１が取り付けられている点が、第２実施形態と相違し、その他の構成は第２実施形態と同じである。第１緊締部材１１は、バックル付きベルト、面ファスナー付きベルト等の公知のベルト緊締部材を採用することができる。
【００１８】
上記第１〜第３実施形態における引掛部は、織物などの可撓性の帯状部材を襷掛けしたり他の引っ掛け方法により引っ掛ける構成とすることができ、折り畳み収納できるようにしても良い。
【００１９】
図５は、本発明に係る第４実施形態のストレッチング装置を示す斜視図である。第４実施形態のストレッチング装置１ｄは、座部４０と、使用者の体重を支え得る程度に座部４０に高さ調整可能に支持された脇支持部材１０と、座部４０に設けられて着座状態において座部４０に大腿部を固定するための第１緊締部材１１とを備えている。
【００２０】
図５に示す例では、座部４０に一対の角形鋼管４１を立設し、各々の各型鋼管４１に摺動自在に挿入した支持棒４２にアーム１０ａを取り付けている。支持棒４２は、留め螺子４３によって自由高さ位置に固定することができる。即ち、アーム１０ａは、支持棒４２をスライドさせ、所望位置にて螺子止めすることで高さ位置調節が可能となっている。座部４０は、持ち運びを更に容易にするために、蝶番等を用いて、鋼管４１に対して折り畳み可能に取り付けることもできる。第１緊締部材１１は、バックル付きベルト、面ファスナー付きベルト等の公知のベルト緊締部材を採用することができる。
【００２１】
上記第３実施形態及び第４実施形態のストレッチング装置によれば、体力が有る者は、脇をアーム１０ａに載せたときに腰が浮く程度の高さにアーム１０ａの位置をセットしておいて、大腿部を第１緊締部材１１によって締結し、脇の部分をアーム１０ａに載せて脇をしめるようにして脇の部分で自体重を支えるようにすれば、アーム１０ａと第１緊締部材１１との間で上半身が引き伸ばされ、ストレッチすることができる。体力が無い者は、脇だけで自体重を支えるのではなく座部でも適度に体重を支えるようにアーム１０ａの高さを調節することにより、腰にかかる体重を調節して使用すれば比較的長時間使用可能となる。
【図面の簡単な説明】
【００２２】
【図１】本発明に係るストレッチング装置の第１実施形態を示す斜視図である。
【図２】図１のＥ−Ｅ面断面図である。
【図３】本発明に係るストレッチング装置の第２実施形態を示す斜視図である。
【図４】本発明に係るストレッチング装置の第３実施形態を示す斜視図である。
【図５】本発明に係るストレッチング装置の第４実施形態を示す斜視図である。
【符号の説明】
【００２３】
１ａ，１ｃ，１ｄ  ストレッチング装置
４，４０  座部
１０  脇支持部材
１０ａ  アーム
１１  第１緊締部材
２０  引掛部
【手続補正３】
【補正対象書類名】図面
【補正対象項目名】全図
【補正方法】変更
【補正の内容】
【図１】
2007181730.tif 000001
【図２】
2007181730.tif 000002
【図３】
2007181730.tif 000003
【図４】
2007181730.tif 000004
【図５】
2007181730.tif 000005